【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
１又は複数の繰り返し単位を含むポリマーであって、該繰り返し単位の少なくとも１つが、１又は複数の式（Ｉ）−（Ｖ）のベンズイミダゾリウム含有部分：
【化１】
2017511415.tif 000001
【化２】
2017511415.tif 000002
【化３】
2017511415.tif 000003
【化４】
2017511415.tif 000004
【化５】
2017511415.tif 000005
（式中：
Ｒ１が、アルキル、ペルフルオロアルキル、ヘテロアルキル、アルコキシ、ペルフルオロアルコキシ、ハロ、アリール、ヘテロアリール基及びポリマーから成る群より独立して選択され；
Ｒ２が、水素、アルキル、及びポリマーから成る群より独立して選択され；
Ｒ３が、アルキル、ペルフルオロアルキル、ヘテロアルキル、アリール、アラルキル、及びポリマーから成る群より独立して選択され；
Ｒ５が、水素、アルキル、及びポリマーから成る群より独立して選択され；
ここで、Ｒ１、Ｒ２、Ｒ３、及びＲ５のうち少なくとも１つがポリマーであり；
Ｘが、アルキレン、ペルフルオロアルキレン、ヘテロアルキレン、アリーレン、アラルキレン、及び基無しから成る群より独立して選択される）
を含む、ポリマー。
【請求項２】
該ポリマーが、ヨージド、トリヨージド、ヒドロキシド、クロリド、ブロミド、フルオリド、シアニド、アセテート、カーボネート、ニトレート、サルフェート、ホスフェート、トリフラート、及びトシレートから成る群より選択されるアニオンで形成された塩である、請求項１に記載のポリマー。
【請求項３】
該ベンズイミダゾリウム含有部分が、該ポリマーの主鎖に含まれる、又は
該ベンズイミダゾリウム含有部分が、該ポリマーのペンダント基に含まれる、又は
該ベンズイミダゾリウム含有部分が、該ポリマーの架橋の一部である、
請求項１に記載のポリマー。
【請求項４】
（ａ）式（ＶＩ）：
【化６】
2017511415.tif 000006
（式中：
Ｒ１が、アルキル、ペルフルオロアルキル、ヘテロアルキル、アルコキシ、ペルフルオロアルコキシ、ハロ、アリール、ヘテロアリール基及びポリマーから成る群より独立して選択され；
Ｒ２が、水素、アルキル、及びポリマーから成る群より独立して選択され；
Ｒ３が、アルキル、ペルフルオロアルキル、ヘテロアルキル、アリール、アラルキル、及びポリマーから成る群より独立して選択され；
Ｒ５が、水素、アルキル、及びポリマーから成る群より独立して選択され；
ここで、Ｒ１、Ｒ２、Ｒ３、及びＲ５のうち少なくとも１つがポリマーであり；
Ｘが、アルキレン、ペルフルオロアルキレン、ヘテロアルキレン、アリーレン、アラルキレン、及び基無しから成る群より独立して選択される）
により定義される第２の繰り返し単位をさらに含む、
及び／又は
（ｂ）該ポリマーが、式（Ｉ）、（Ｖ）、及び（ＶＩ）により定義される繰り返し単位を少なくとも含み、該ポリマーが、式（Ｉ）、（Ｖ）、及び（ＶＩ）のランダムコポリマーである、
請求項１〜３のいずれか一項に記載のポリマー。
【請求項５】
（ａ）Ｒ１が、アルキル、ペルフルオロアルキル、ヘテロアルキル、アルコキシ及びペルフルオロアルコキシから成る群より独立して選択される、又は
Ｒ１が、アルキル、ペルフルオロアルキル及びヘテロアルキルから成る群より独立して選択される、又は
Ｒ１がアルキルである、又は
Ｒ１がメチルである、
及び／又は
（ｂ）Ｒ２が、水素及びアルキルから成る群より独立して選択される、又は
Ｒ２が、水素及びメチルから成る群より独立して選択される、
及び／又は
（ｃ）Ｒ３が、アルキル、ペルフルオロアルキル及びヘテロアルキルから成る群より独立して選択される、又は
Ｒ３がアルキルである、又は
Ｒ３がメチルである、
及び／又は
（ｄ）Ｒ５が、水素、アルキル及びポリマーから成る群より独立して選択される、又は
Ｒ５が、水素及びポリマーから成る群より独立して選択される、
及び／又は
（ｅ）Ｘが、アルキレン、ペルフルオロアルキレン、ヘテロアルキレン、アリーレン、アラルキレン、及び基無しから成る群より独立して選択される、又は
Ｘが、アルキレン、アリーレン及びアラルキレンから成る群より独立して選択される、又は
Ｘが、アルキレン及びアリーレンから成る群より独立して選択される、又は
Ｘがアリーレンである、又は
Ｘが１，４−フェニレンである、
請求項１〜４のいずれか一項に記載のポリマー。
【請求項６】
式（ＶＩＩＩ）：
【化７】
2017511415.tif 000007
（式中：
Ｒ１１ａ、Ｒ１１ｂ、Ｒ１１ｃ、Ｒ１１ｄ、Ｒ２１ａ、Ｒ２１ｂ、Ｒ２１ｃ、Ｒ２１ｄ、Ｒ３１ａ、Ｒ３１ｂ、Ｒ３１ｃ、及びＲ３１ｄが、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｒ１２ａ、Ｒ１２ｂ、Ｒ１２ｃ、Ｒ１２ｄ、Ｒ２２ａ、Ｒ２２ｂ、Ｒ２２ｃ、Ｒ２２ｄ、Ｒ３２ａ、Ｒ３２ｂ、Ｒ３２ｃ、及びＲ３２ｄが、Ｈ、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｒ１３ａ、Ｒ１３ｂ、Ｒ１４ａ、及びＲ１４ｂが、不在、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され、ただしＲ１３ａ、Ｒ１３ｂ、Ｒ１４ａ及びＲ１４ｂのうち２つが不在であり、残りの２つが存在し、Ｃ１−６アルキル、Ｃ１−６ハロアルキル、Ｃ１−６アルコキシ、Ｃ１−６ハロアルコキシ、ハロ、アリール、及びヘテロアリールから独立して選択され、
Ｒ２３ａ、Ｒ２３ｂ、Ｒ２４ａ、及びＲ２４ｂが、不在、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され、ただしＲ２３ａ、Ｒ２３ｂ、Ｒ２４ａ及びＲ２４ｂのうち１つが不在であり、残りの３つが存在し、Ｃ１−６アルキル、Ｃ１−６ハロアルキル、Ｃ１−６アルコキシ、Ｃ１−６ハロアルコキシ、ハロ、アリール、及びヘテロアリールから独立して選択され、不在のＲ２３ａ、Ｒ２３ｂ、Ｒ２４ａ、又はＲ２４ｂを有する環が非荷電であり；
Ｒ３３ａ、Ｒ３３ｂ、Ｒ３４ａ、及びＲ３４ｂが、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｒ１５ａ、Ｒ１５ｂ、Ｒ１５ｃ、Ｒ１５ｄ、Ｒ１５ｅ、Ｒ１５ｆ、Ｒ２５ａ、Ｒ２５ｂ、Ｒ２５ｃ、Ｒ２５ｄ、Ｒ２５ｅ、Ｒ２５ｆ、Ｒ３５ａ、Ｒ３５ｂ、Ｒ３５ｃ、Ｒ３５ｄ、Ｒ３５ｅ、及びＲ３５ｆが、Ｈ、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｘ１１、Ｘ２１、及びＸ３１が、不在、Ｃ１−６アルキレン、Ｃ１−６ハロアルキレン、アリーレン、及びヘテロアリーレンから成る群よりそれぞれ独立して選択され；
ａ、ｂ、及びｃがモルパーセンテージであり、ここで
ａが０モルパーセント〜４５モルパーセントであり、
ｂ＋ｃが５５モルパーセント〜１００モルパーセントであり、
ｂ及びｃがそれぞれ、０パーセントより大きく、
ａ＋ｂ＋ｃ＝１００％である）
のポリマー。
【請求項７】
式（ＶＩＩＩａ）
【化８】
2017511415.tif 000008
（式中：
Ｒ１１ａ、Ｒ１１ｂ、Ｒ１１ｃ、Ｒ１１ｄ、Ｒ２１ａ、Ｒ２１ｂ、Ｒ２１ｃ、Ｒ２１ｄ、Ｒ３１ａ、Ｒ３１ｂ、Ｒ３１ｃ、及びＲ３１ｄが、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｒ１２ａ、Ｒ１２ｃ、Ｒ２２ａ、Ｒ２２ｃ、Ｒ３２ａ、及びＲ３２ｃが、Ｈ、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｒ１３ａ、Ｒ１３ｂ、Ｒ１４ａ、及びＲ１４ｂが、不在、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され、ただしＲ１３ａ、Ｒ１３ｂ、Ｒ１４ａ、及びＲ１４ｂのうち２つが不在であり、残りの２つが存在し、Ｃ１−６アルキル、Ｃ１−６ハロアルキル、Ｃ１−６アルコキシ、Ｃ１−６ハロアルコキシ、ハロ、アリール、及びヘテロアリールから独立して選択され、
Ｒ２３ａ、Ｒ２３ｂ、Ｒ２４ａ、及びＲ２４ｂが、不在、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され、ただしＲ２３ａ、Ｒ２３ｂ、Ｒ２４ａ及びＲ２４ｂのうち１つが不在であり、残りの３つが存在し、Ｃ１−６アルキル、Ｃ１−６ハロアルキル、Ｃ１−６アルコキシ、Ｃ１−６ハロアルコキシ、ハロ、アリール、及びヘテロアリールから独立して選択され、不在のＲ２３ａ、Ｒ２３ｂ、Ｒ２４ａ、又はＲ２４ｂを有する環が非荷電であり；
Ｒ３３ａ、Ｒ３３ｂ、Ｒ３４ａ、及びＲ３４ｂが、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｒ１５ａ、Ｒ１５ｂ、Ｒ１５ｃ、Ｒ１５ｄ、Ｒ１５ｅ、Ｒ１５ｆ、Ｒ２５ａ、Ｒ２５ｂ、Ｒ２５ｃ、Ｒ２５ｄ、Ｒ２５ｅ、Ｒ２５ｆ、Ｒ３５ａ、Ｒ３５ｂ、Ｒ３５ｃ、Ｒ３５ｄ、Ｒ３５ｅ、及びＲ３５ｆが、Ｈ、Ｃ１−６アルキル、Ｃ１−６ハロアルキル、Ｃ１−６アルコキシ、Ｃ１−６ハロアルコキシ、ハロ、アリール、及びヘテロアリールからそれぞれ独立して選択され；
Ｘ１１、Ｘ２１、及びＸ３１が、不在、Ｃ１−６アルキレン、Ｃ１−６ハロアルキレン、アリーレン、及びヘテロアリーレンから成る群よりそれぞれ独立して選択され；
ａ、ｂ、及びｃがモルパーセンテージであり、ここで
ａが０モルパーセント〜４５モルパーセントであり、
ｂ＋ｃが５５モルパーセント〜１００モルパーセントであり、
ｂ及びｃがそれぞれ、０パーセントより大きく、
ａ＋ｂ＋ｃ＝１００％である）
を有する、請求項６に記載のポリマー。
【請求項８】
（ａ）Ｒ１１ａ、Ｒ１１ｂ、Ｒ１１ｃ、Ｒ１１ｄ、Ｒ２１ａ、Ｒ２１ｂ、Ｒ２１ｃ、Ｒ２１ｄ、Ｒ３１ａ、Ｒ３１ｂ、Ｒ３１ｃ、及びＲ３１ｄが、Ｃ１−６アルキル及びＣ１−６ハロアルキルからそれぞれ独立して選択される、又は
Ｒ１１ａ、Ｒ１１ｂ、Ｒ１１ｃ、Ｒ１１ｄ、Ｒ２１ａ、Ｒ２１ｂ、Ｒ２１ｃ、Ｒ２１ｄ、Ｒ３１ａ、Ｒ３１ｂ、Ｒ３１ｃ、及びＲ３１ｄが、Ｃ１−６アルキルからそれぞれ独立して選択される、又は
Ｒ１１ａ、Ｒ１１ｂ、Ｒ１１ｃ、Ｒ１１ｄ、Ｒ２１ａ、Ｒ２１ｂ、Ｒ２１ｃ、Ｒ２１ｄ、Ｒ３１ａ、Ｒ３１ｂ、Ｒ３１ｃ、及びＲ３１ｄが、メチル及びエチルからそれぞれ独立して選択される、又は
Ｒ１１ａ、Ｒ１１ｂ、Ｒ１１ｃ、Ｒ１１ｄ、Ｒ２１ａ、Ｒ２１ｂ、Ｒ２１ｃ、Ｒ２１ｄ、Ｒ３１ａ、Ｒ３１ｂ、Ｒ３１ｃ、及びＲ３１ｄがそれぞれメチルである、
及び／又は
（ｂ）Ｒ１２ａ、Ｒ１２ｂ、Ｒ１２ｃ、Ｒ１２ｄ、Ｒ２２ａ、Ｒ２２ｂ、Ｒ２２ｃ、Ｒ２２ｄ、Ｒ３２ａ、Ｒ３２ｂ、Ｒ３２ｃ、及びＲ３２ｄが、存在する場合、Ｈ、Ｃ１−６アルキル、及びＣ１−６ハロアルキルからそれぞれ独立して選択される、又は
Ｒ１２ａ、Ｒ１２ｂ、Ｒ１２ｃ、Ｒ１２ｄ、Ｒ２２ａ、Ｒ２２ｂ、Ｒ２２ｃ、Ｒ２２ｄ、Ｒ３２ａ、Ｒ３２ｂ、Ｒ３２ｃ、及びＲ３２ｄが、存在する場合、Ｈ及びＣ１−６アルキルからそれぞれ独立して選択される、又は
Ｒ１２ａ、Ｒ１２ｂ、Ｒ１２ｃ、Ｒ１２ｄ、Ｒ２２ａ、Ｒ２２ｂ、Ｒ２２ｃ、Ｒ２２ｄ、Ｒ３２ａ、Ｒ３２ｂ、Ｒ３２ｃ、及びＲ３２ｄが、存在する場合、Ｈ、メチル、及びエチルからそれぞれ独立して選択される、又は
Ｒ１２ａ、Ｒ１２ｂ、Ｒ１２ｃ、Ｒ１２ｄ、Ｒ２２ａ、Ｒ２２ｂ、Ｒ２２ｃ、Ｒ２２ｄ、Ｒ３２ａ、Ｒ３２ｂ、Ｒ３２ｃ、及びＲ３２ｄが、存在する場合、Ｈ及びメチルからそれぞれ独立して選択される、
及び／又は
（ｃ）Ｒ１３ａ、Ｒ１３ｂ、Ｒ１４ａ、及びＲ１４ｂが、不在、Ｃ１−６アルキル、及びＣ１−６ハロアルキルからそれぞれ独立して選択され、ただしＲ１３ａ、Ｒ１３ｂ、Ｒ１４ａ、及びＲ１４ｂのうち２つが不在であり、残りの２つが存在し、Ｃ１−６アルキル及びＣ１−６ハロアルキルから独立して選択される、又は
Ｒ１３ａ、Ｒ１３ｂ、Ｒ１４ａ、及びＲ１４ｂが、不在及びＣ１−６アルキルからそれぞれ独立して選択され、ただしＲ１３ａ、Ｒ１３ｂ、Ｒ１４ａ、及びＲ１４ｂのうち２つが不在であり、残りの２つが存在し、Ｃ１−６アルキルから独立して選択される、又は
Ｒ１３ａ、Ｒ１３ｂ、Ｒ１４ａ、及びＲ１４ｂが、不在及びメチルからそれぞれ独立して選択され、ただしＲ１３ａ、Ｒ１３ｂ、Ｒ１４ａ、及びＲ１４ｂのうち２つが不在であり、残りの２つが存在し、メチルである、
及び／又は
（ｄ）Ｒ２３ａ、Ｒ２３ｂ、Ｒ２４ａ、及びＲ２４ｂが、不在及びＣ１−６アルキルからそれぞれ独立して選択され、ただしＲ２３ａ、Ｒ２３ｂ、Ｒ２４ａ、及びＲ２４ｂのうち１つが不在であり、残りの３つが存在し、Ｃ１−６アルキルから独立して選択され、不在のＲ２３ａ、Ｒ２３ｂ、Ｒ２４ａ、又はＲ２４ｂを有する環が非荷電である、又は
Ｒ２３ａ、Ｒ２３ｂ、Ｒ２４ａ、及びＲ２４ｂが、不在及びメチルからそれぞれ独立して選択され、ただしＲ２３ａ、Ｒ２３ｂ、Ｒ２４ａ、及びＲ２４ｂのうち１つが不在であり、残りの３つが存在し、メチルであり、不在のＲ２３ａ、Ｒ２３ｂ、Ｒ２４ａ、又はＲ２４ｂを有する環が非荷電である、
及び／又は
（ｅ）Ｒ３３ａ、Ｒ３３ｂ、Ｒ３４ａ、及びＲ３４ｂが、Ｃ１−６アルキル及びＣ１−６ハロアルキルからそれぞれ独立して選択される、又は
Ｒ３３ａ、Ｒ３３ｂ、Ｒ３４ａ、及びＲ３４ｂが、Ｃ１−６アルキルからそれぞれ独立して選択される、又は
Ｒ３３ａ、Ｒ３３ｂ、Ｒ３４ａ、及びＲ３４ｂが、メチル及びエチルからそれぞれ独立して選択される、又は
Ｒ３３ａ、Ｒ３３ｂ、Ｒ３４ａ、及びＲ３４ｂがそれぞれ独立して、メチルである、
及び／又は
（ｆ）Ｒ１５ａ、Ｒ１５ｂ、Ｒ１５ｃ、Ｒ１５ｄ、Ｒ１５ｅ、Ｒ１５ｆ、Ｒ２５ａ、Ｒ２５ｂ、Ｒ２５ｃ、Ｒ２５ｄ、Ｒ２５ｅ、Ｒ２５ｆ、Ｒ３５ａ、Ｒ３５ｂ、Ｒ３５ｃ、Ｒ３５ｄ、Ｒ３５ｅ、及びＲ３５ｆが、Ｈ、Ｃ１−６アルキル、及びＣ１−６ハロアルキルからそれぞれ独立して選択される、又は
Ｒ１５ａ、Ｒ１５ｂ、Ｒ１５ｃ、Ｒ１５ｄ、Ｒ１５ｅ、Ｒ１５ｆ、Ｒ２５ａ、Ｒ２５ｂ、Ｒ２５ｃ、Ｒ２５ｄ、Ｒ２５ｅ、Ｒ２５ｆ、Ｒ３５ａ、Ｒ３５ｂ、Ｒ３５ｃ、Ｒ３５ｄ、Ｒ３５ｅ、及びＲ３５ｆが、Ｈ及びＣ１−６アルキルからそれぞれ独立して選択される、又は
Ｒ１５ａ、Ｒ１５ｂ、Ｒ１５ｃ、Ｒ１５ｄ、Ｒ１５ｅ、Ｒ１５ｆ、Ｒ２５ａ、Ｒ２５ｂ、Ｒ２５ｃ、Ｒ２５ｄ、Ｒ２５ｅ、Ｒ２５ｆ、Ｒ３５ａ、Ｒ３５ｂ、Ｒ３５ｃ、Ｒ３５ｄ、Ｒ３５ｅ、及びＲ３５ｆがそれぞれＨである、
及び／又は
（ｇ）Ｘ１１、Ｘ２１、及びＸ３１が、アリーレン及びヘテロアリーレンから成る群よりそれぞれ独立して選択される、又は
Ｘ１１、Ｘ２１、及びＸ３１が、アリーレンからそれぞれ独立して選択される、又は
Ｘ１１、Ｘ２１、及びＸ３１がそれぞれ１，４−フェニレンである、
請求項６又は請求項７に記載のポリマー。
【請求項９】
請求項６〜８のいずれか一項に記載のポリマーであって、
ａ、ｂ、及びｃがモルパーセンテージであり、ここで
ａが５モルパーセント〜４５モルパーセントであり、
ｂ＋ｃが５５モルパーセント〜９５モルパーセントであり、
ｂ及びｃがそれぞれ、０パーセントより大きく、
ａ＋ｂ＋ｃ＝１００％
である、ポリマー。
【請求項１０】
該ポリマーが、ヨージド、トリヨージド、ヒドロキシド、クロリド、ブロミド、フルオリド、シアニド、アセテート、カーボネート、ニトレート、サルフェート、ホスフェート、トリフラート、及びトシレートから成る群より選択されるアニオンで形成された塩である、及び／又は
該ポリマーがランダムコポリマーである、及び／又は
該ポリマーが、メタノール、イソプロパノール、及びジメチルスルホキシドに可溶性である、
請求項６〜９のいずれか一項に記載のポリマー。
【請求項１１】
請求項１〜１０のいずれか一項に記載のカチオン性ポリマーを含む、イオン性膜。
【請求項１２】
請求項１〜１０のいずれか一項に記載のカチオン性ポリマーを含む、イオノマーであって、前記イオノマーが、燃料電池の触媒層に組み込まれる、イオノマー。
【請求項１３】
ベンズイミダゾール部分を繰り返し単位に含むポリマーを後官能化して、式（ＶＩ）
【化６】
2017511415.tif 000009
（式中：
Ｒ１が、アルキル、ペルフルオロアルキル、ヘテロアルキル、アルコキシ、ペルフルオロアルコキシ、ハロ、アリール、ヘテロアリール基及びポリマーから成る群より独立して選択され；
Ｒ２が、水素、アルキル、及びポリマーから成る群より独立して選択され；
Ｒ３が、アルキル、ペルフルオロアルキル、ヘテロアルキル、アリール、アラルキル、及びポリマーから成る群より独立して選択され；
Ｒ５が、水素、アルキル、及びポリマーから成る群より独立して選択され；
ここで、Ｒ１、Ｒ２、Ｒ３、及びＲ５のうち少なくとも１つがポリマーであり；
Ｘが、アルキレン、ペルフルオロアルキレン、ヘテロアルキレン、アリーレン、アラルキレン、及び基無しから成る群より独立して選択される）
の繰り返し単位を含む中性ポリマーを提供する方法であって、
（ａ） 該ベンズイミダゾール部分を含む該ポリマーを、極性非プロトン性溶媒及び任意にある量の水の中で加熱することによって、アルカリ水酸化物で脱プロトン化し、脱プロトン化ベンズイミダゾール含有ポリマーを提供するステップ；
（ｂ） 任意に、該脱プロトン化ベンズイミダゾール含有ポリマーをろ過及び洗浄するステップ；
（ｃ） 過剰のＲ−Ｙを該ポリマー溶液に添加し撹拌して、式ＶＩの繰り返し単位を含む中性ポリマーを提供するステップであって、式中Ｒが、アルキル、ペルフルオロアルキル、ヘテロアルキル、アリール、又はアラルキル基を表し；Ｙがヨージド、ブロミド、クロリド、又はスルホネートエステルを含むアニオン性解離基を表す、ステップ
を含む方法。
【請求項１４】
式（ＶＩ）
【化６】
2017511415.tif 000010
（式中：
Ｒ１が、アルキル、ペルフルオロアルキル、ヘテロアルキル、アルコキシ、ペルフルオロアルコキシ、ハロ、アリール、ヘテロアリール基及びポリマーから成る群より独立して選択され；
Ｒ２が、水素、アルキル、及びポリマーから成る群より独立して選択され；
Ｒ３が、アルキル、ペルフルオロアルキル、ヘテロアルキル、アリール、アラルキル、及びポリマーから成る群より独立して選択され；
Ｒ５が、水素、アルキル、及びポリマーから成る群より独立して選択され；
ここで、Ｒ１、Ｒ２、Ｒ３、及びＲ５のうち少なくとも１つがポリマーであり；
Ｘが、アルキレン、ペルフルオロアルキレン、ヘテロアルキレン、アリーレン、アラルキレン、及び基無しから成る群より独立して選択される）
の繰り返し単位を含む中性ポリマーを、式（Ｉ）、（Ｖ）、及び（ＶＩ）のベンズイミダゾール含有部分
【化１】
2017511415.tif 000011
【化５】
2017511415.tif 000012
及び
【化６】
2017511415.tif 000013
（式中：
Ｒ１が、アルキル、ペルフルオロアルキル、ヘテロアルキル、アルコキシ、ペルフルオロアルコキシ、ハロ、アリール、ヘテロアリール基及びポリマーから成る群より独立して選択され；
Ｒ２が、水素、アルキル、及びポリマーから成る群より独立して選択され；
Ｒ３が、アルキル、ペルフルオロアルキル、ヘテロアルキル、アリール、アラルキル、及びポリマーから成る群より独立して選択され；
Ｒ５が、水素、アルキル、及びポリマーから成る群より独立して選択され；
ここで、Ｒ１、Ｒ２、Ｒ３、及びＲ５のうち少なくとも１つがポリマーであり；
Ｘが、アルキレン、ペルフルオロアルキレン、ヘテロアルキレン、アリーレン、アラルキレン、及び基無しから成る群より独立して選択される）
を含むカチオン性ポリマーに後官能化する方法であって、
（ａ） 有機溶媒に式ＶＩの繰り返し単位を含む中性ポリマーを溶解して、ポリマー溶液を提供するステップ；
（ｂ） 既知の量のＲ−Ｙを該ポリマー溶液に添加し該ポリマー溶液を一定の時間撹拌して、式（Ｉ）、（Ｖ）、及び（ＶＩ）を含むカチオン性ポリマーを提供するステップ
を含む方法。
【請求項１５】
請求項１３及び１４に記載の後官能化する方法を含む、請求項１〜５のいずれか一項に記載のポリマーを形成する方法。